(57)【要約】【課題】報音孔の目立ちにくい外観をしたインターホン機器を提供する。【解決手段】本体ケースの外周部を覆うように組み付けられるフレーム部材１１の下辺部をボタン部１１ａとし、ボタン部１１ａの下端をインターホン親機１の下面に露出させ、ボタン部１１ａの下端と本体ケースの前面との間に隙間を形成している。また、前ケース２の前面でボタン部１１ａにより覆われる箇所にスピーカ孔２１を開設し、スピーカ孔２１の後側にスピーカ２２を設置している。そして、ボタン部１１ａと本体ケースの前面との間の隙間を、報音孔として機能させるように構成している。したがって、従来のように本体ケースの前面に報音孔を開設しているものと比べると、特に前側から見た際に、報音孔が目立ちにくく、デザイン性の高いインターホン親機１とすることができる。【選択図】図５
2020162042.tif 000002
【特許請求の範囲】
【請求項１】
本体ケース内に音声を報音するスピーカが設置されているとともに、前記本体ケースの上端部と下端部との少なくとも何れか一方に、押し込み操作可能なボタンが設けられたインターホン機器であって、
前記ボタンの上下方向で前記本体ケース外側となる端部が前記インターホン機器の表面に露出し、前記端部と前記本体ケースの前面との間に隙間が形成されている一方、
前記本体ケースの前面で、前記ボタンにより覆われる位置にスピーカ孔が開設され、前記スピーカ孔の後側に前記スピーカが設置されており、
前記隙間が、前記スピーカから出力される音声を外部に報音するための報音孔となることを特徴とするインターホン機器。
【請求項２】
本体ケース内に音声を報音するスピーカが設置されているとともに、前記本体ケースの左端部と右端部との少なくとも何れか一方に、押し込み操作可能なボタンが設けられたインターホン機器であって、
前記ボタンの左右方向で前記本体ケース外側となる端部が前記インターホン機器の表面に露出し、前記端部と前記本体ケースの前面との間に隙間が形成されている一方、
前記本体ケースの前面で、前記ボタンにより覆われる位置にスピーカ孔が開設され、前記スピーカ孔の後側に前記スピーカが設置されており、
前記隙間が、前記スピーカから出力される音声を外部に報音するための報音孔となることを特徴とするインターホン機器。
【請求項３】
前記ボタンの前記端部に、前記本体ケース側に折り曲げられた折り曲げ部が設けられているとともに、前記折り曲げ部に、前記折り曲げ部の後端縁を前方へ凹ませた凹部が設けられており、前記凹部内の空間が前記報音孔となることを特徴とする請求項１又は２に記載のインターホン機器。
【発明の詳細な説明】
【技術分野】
【０００１】
本発明は、たとえばインターホン親機等のスピーカが内蔵されたインターホン機器に関するものである。
【背景技術】
【０００２】
従来、インターホン親機等の一般的なインターホン機器には、音声を報音するためのスピーカが設けられている。また、該スピーカからの報音構造としては、たとえば特許文献１に記載されているように、インターホン機器の前面に格子状の報音孔を設けるとともに、報音孔の後側にスピーカを前方へ向けて設置して、音声を前側に報音させるようにしたものが多い。
【先行技術文献】
【特許文献】
【０００３】
【特許文献１】特開２０１３−８４６８号公報
【発明の概要】
【発明が解決しようとする課題】
【０００４】
近年、インターホン機器におけるデザインの多様化等の理由から、一目見てそれと分かるような報音孔をインターホン機器の前面に設けたくないという要望がある。
【０００５】
そこで、本発明は、上記問題に鑑みなされたものであって、報音孔の目立ちにくい外観をしたインターホン機器を提供しようとするものである。
【課題を解決するための手段】
【０００６】
上記目的を達成するために、本発明のうち請求項１に記載の発明は、本体ケース内に音声を報音するスピーカが設置されているとともに、本体ケースの上端部と下端部との少なくとも何れか一方に、押し込み操作可能なボタンが設けられたインターホン機器であって、ボタンの上下方向で本体ケース外側となる端部がインターホン機器の表面に露出し、端部と本体ケースの前面との間に隙間が形成されている一方、本体ケースの前面で、ボタンにより覆われる位置にスピーカ孔が開設され、スピーカ孔の後側にスピーカが設置されており、隙間が、スピーカから出力される音声を外部に報音するための報音孔となることを特徴とする。
請求項１に記載の発明によれば、ボタンの上下方向で本体ケース外側となる端部をインターホン機器の表面に露出させ、端部と本体ケースの前面との間に隙間を形成する一方、本体ケースの前面で、ボタンにより覆われる位置にスピーカ孔を開設し、スピーカ孔の後側にスピーカを設置した。そして、ボタンの端部と本体ケースの前面との間の隙間を、スピーカから出力される音声を外部に報音するための報音孔としている。したがって、従来と比べると、特に前側から見た際に、報音孔の目立ちにくいインターホン機器とすることができる。
【０００７】
また、上記目的を達成するために、本発明のうち請求項２に記載の発明は、本体ケース内に音声を報音するスピーカが設置されているとともに、本体ケースの左端部と右端部との少なくとも何れか一方に、押し込み操作可能なボタンが設けられたインターホン機器であって、ボタンの左右方向で本体ケース外側となる端部がインターホン機器の表面に露出し、端部と本体ケースの前面との間に隙間が形成されている一方、本体ケースの前面で、ボタンにより覆われる位置にスピーカ孔が開設され、スピーカ孔の後側にスピーカが設置されており、隙間が、スピーカから出力される音声を外部に報音するための報音孔となることを特徴とする。
請求項２に記載の発明によれば、ボタンの左右方向で本体ケース外側となる端部をインターホン機器の表面に露出させ、端部と本体ケースの前面との間に隙間を形成する一方、本体ケースの前面で、ボタンにより覆われる位置にスピーカ孔を開設し、スピーカ孔の後側にスピーカを設置した。そして、ボタンの端部と本体ケースの前面との間の隙間を、スピーカから出力される音声を外部に報音するための報音孔としている。したがって、請求項１に記載の発明と同様、従来と比べると、特に前側から見た際に、報音孔の目立ちにくいインターホン機器とすることができる。
【０００８】
請求項３に記載の発明は、請求項１又は２に記載の発明において、ボタンの端部に、本体ケース側に折り曲げられた折り曲げ部が設けられているとともに、折り曲げ部に、折り曲げ部の後端縁を前方へ凹ませた凹部が設けられており、凹部内の空間が報音孔となることを特徴とする。
請求項３に記載の発明によれば、ボタンの端部に、本体ケース側に折り曲げられた折り曲げ部を設けているため、ボタンの端部と本体ケースの周面とが一連であるかのような印象を与えることができ、一層報音孔の目立ちにくいインターホン機器とすることができる。
【発明の効果】
【０００９】
本発明によれば、ボタンの上下方向（請求項２では左右方向）で本体ケース外側となる端部をインターホン機器の表面に露出させ、端部と本体ケースの前面との間に隙間を形成する一方、本体ケースの前面で、ボタンにより覆われる位置にスピーカ孔を開設し、スピーカ孔の後側にスピーカを設置した。そして、ボタンの端部と本体ケースの前面との間の隙間を、スピーカから出力される音声を外部に報音するための報音孔としている。したがって、従来と比べると、特に前側から見た際に、報音孔の目立ちにくいインターホン機器とすることができる。
【図面の簡単な説明】
【００１０】
【図１】インターホン親機の前面側を示した斜視説明図である。
【図２】インターホン親機を下側から示した説明図である。
【図３】分解状態にあるインターホン親機を前側から示した斜視説明図である。
【図４】分解状態にあるインターホン親機を後側から示した斜視説明図である。
【図５】インターホン親機のスピーカ部における前後方向での鉛直断面を示した斜視説明図である。
【図６】インターホン親機のスピーカ部における水平断面を下側から示した斜視説明図である。
【発明を実施するための形態】
【００１１】
以下、本発明の一実施形態となるインターホン親機について、図面にもとづき詳細に説明する。
【００１２】
図１は、インターホン親機１の前面側を示した斜視説明図である。図２は、インターホン親機１を下側から示した説明図である。図３は、分解状態にあるインターホン親機１を前側から示した斜視説明図である。図４は、分解状態にあるインターホン親機１を後側から示した斜視説明図である。図５は、インターホン親機１のスピーカ部７における前後方向での鉛直断面を示した斜視説明図である。図６は、インターホン親機１のスピーカ部７における水平断面を下側から示した斜視説明図である。
【００１３】
インターホン親機１は、前側に配置される前ケース２と、後側に配置される後ケース３とを組み付けてなる本体ケースを有している。また、本体ケースの前面略中央には、インターホン子機（図示せず）で撮像された映像等を表示するための表示部４が設けられており、該表示部４の右上側には、居住者が来訪者と通話等するためのマイク部５が設けられている。また、表示部４の下側には、表示部４にて映像を再生させたり、表示部４に表示中の映像を録画したりするための各種機能ボタン８、８・・が設けられている。さらに、本体ケースの前面外周部には、表示部４やマイク部５、機能ボタン８、８・・等の外側を囲むような矩形枠状に成形された合成樹脂製のフレーム部材１１が設置されている。該フレーム部材１１は、本体ケース外周部の化粧パネルとして機能するとともに、下辺部が、後述するような構造により、音声を報音するためのスピーカ部７及び押し込み操作可能なボタン部（具体的には、インターホン子機からの呼び出しに応答する際等に、居住者が操作する応答ボタン）１１ａとして機能するようになっている。加えて、本体ケースには、インターホン子機との間での通話動作や映像の送受信動作を制御するための制御基板９が内蔵されている。そして、このようなインターホン親機１は、居室内の壁面等に設置されており、インターホン子機からの呼び出しに応じてボタン部１１ａを操作すると、表示部４に映像が表示されるとともに、インターホン子機との間で通話可能な状態となる。なお、１０は、本体ケースの前面におけるフレーム部材１１の内側となる箇所（表示部４やマイク部５等）を覆うパネル部材である。
【００１４】
ここで、本発明の要部となるスピーカ部７及びボタン部１１ａについて説明する。
まずボタン部１１ａについて説明すると、前ケース２の前面の左下部と右下部とには、それぞれ上下方向へ延びる支持壁１２が前方へ突設されている。また、左下部の支持壁１２と右下部の支持壁１２とは対向しており、左右方向で両支持壁１２、１２間の略中央にボタン孔１３が開設されており、該ボタン孔１３内には、制御基板９の前面に搭載されているスイッチ１４が露出している。
【００１５】
一方、フレーム部材１１の後面で、本体ケースへの組み付け時にボタン孔１３の前方となる箇所には、ボタン孔１３を貫通可能な操作突起１５が後方へ突設されている。また、フレーム部材１１の後面の四隅には、自身を本体ケースにネジ止めするためのボス１６が夫々突設されている。
【００１６】
そして、ボタン部１１ａにあっては、フレーム部材１１の本体ケースへの組み付けに伴い、支持壁１２、１２の先端にフレーム部材１１の後面が当接し、且つ、操作突起１５がボタン孔１３を貫通して本体ケース内へ突出した状態となる。そこで、フレーム部材１１の下辺中央を押し込み操作すると、当該下辺部が支持壁１２、１２を支点として後側へ撓み、操作突起１５の先端がスイッチ１４に接触して、スイッチ１４がＯＮ／ＯＦＦ操作させることになる。
【００１７】
次にスピーカ部７について説明すると、前ケース２の前面における左右方向で両支持壁１２、１２の間となる位置であって、ボタン孔１３の右側となる位置には、スピーカ孔２１が開設されている。そして、スピーカ孔２１の後側に、スピーカ２２が設置されている。該スピーカ２２は、前ケース２と後ケース３との組み付けに伴い、後ケース３の後面から前方へ突設された支持突起２３の前面上に位置し、自身の外周縁をスピーカ孔２２の周縁に押し付けられた状態で設置される。また、前ケース２の前面におけるスピーカ孔２２の上側には、左右方向へ延びるリブ２４が前方へ突設されている。該リブ２４は、フレーム部材１１の組み付けに伴い、フレーム部材１１の開口内においてボタン部１１ａの上縁に沿うように位置することになり、前方への突出高さは、リブ２４の先端とフレーム部材１１とが上下で重なる高さとなっている。
【００１８】
一方、フレーム部材１１の下縁には、後側（本体ケース側）へ折り曲げられた折り曲げ部２５が設けられている。該折り曲げ部２５は、フレーム部材１１の本体ケースへの組み付けに伴って、インターホン親機１の表面に露出し、インターホン親機１の下面の一部を構成する（本実施形態では、前ケース２が後ケース３内に嵌め込まれるため、折り曲げ部２５と後ケース３の下面とが略面一となる）ようになっている。また、折り曲げ部２５には、後端縁を前方へ凹ませてなる切り欠き状の凹部２６が設けられている。
【００１９】
そして、スピーカ部７にあっては、フレーム部材１１の本体ケースへの組み付けに伴って、ボタン部１１ａによりスピーカ孔２１の前方が覆われ、スピーカ２２の前方に、リブ２４、フレーム部材１１の後面、及び折り曲げ部２５により囲まれる報音空間が形成される。また、凹部２６によって、折り曲げ部２５の後端縁と本体ケースの前面との間に、比較的前後幅の広い隙間が形成されている。そして、該隙間が、報音空間をインターホン親機１の外部に連通させることになり、スピーカ２２から出力される音声を外部へ報音するための報音孔として機能する。尚、スピーカ孔２１と凹部２６との左右方向での位置関係は、凹部２６の鉛直上方となる範囲内にスピーカ孔２１が位置する関係となっている。
【００２０】
以上のような構成を有するインターホン親機１によれば、本体ケースの外周部を覆うように組み付けられるフレーム部材１１の下辺部をボタン部１１ａとし、ボタン部１１ａの下端をインターホン親機１の下面に露出させ、ボタン部１１ａの下端と本体ケースの前面との間に隙間を形成している。また、前ケース２の前面でボタン部１１ａにより覆われる箇所にスピーカ孔２１を開設し、スピーカ孔２１の後側にスピーカ２２を設置している。そして、ボタン部１１ａの下端と本体ケースの前面との間の隙間を、報音孔として機能させるように構成している。したがって、従来のように本体ケースの前面に報音孔を開設しているものと比べると、特に前側から見た際に、報音孔が目立ちにくく、デザイン性の高いインターホン親機１とすることができる。
【００２１】
さらに、フレーム部材１１の下縁に、後側へ折り曲げられた折り曲げ部２５を設け、フレーム部材１１の本体ケースへの組み付けに伴って、折り曲げ部２５と後ケース３の下面とが略面一となり、折り曲げ部２５がインターホン親機１の下面の一部を構成するようにしている。また、折り曲げ部２５に、折り曲げ部２５の後端縁を前方へ凹ませた凹部２６を設け、凹部２６内の空間を報音孔としている。したがって、折り曲げ部２５と本体ケースの下面とが一連であるかのような印象を与えることができ、一層報音孔の目立ちにくいインターホン親機１とすることができる。
【００２２】
加えて、前ケース２の前面におけるスピーカ孔２２の上側に、左右方向へ延びるリブ２４を前方へ突設し、フレーム部材１１の組み付けに伴い、リブ２４が、フレーム部材１１の開口内においてボタン部１１ａの上縁に沿うように位置するようにしている。また、リブ２４の前方への突出高さを、リブ２４の先端とフレーム部材１１とが上下で重なる高さとしている。したがって、スピーカ２２から出力された音声がボタン部１１ａの上方から回り込み、報音孔を介して報音される音声を打ち消してしまうような事態を効果的に防止することができ、インターホン親機１の外部へ明瞭な音声を報音させることができる。
【００２３】
なお、本発明に係るインターホン機器は、インターホン機器の全体的な構成は勿論、スピーカ部に係る構成等についても、本発明の趣旨を逸脱しない範囲で必要に応じて適宜変更することができる。
【００２４】
たとえば、上記実施形態ではボタンを本体ケースの下端部に設けているが、ボタンを本体ケースの上端部に設けるとともに、本体ケースの上部にスピーカを設置するように構成することも可能である。そして、そのようなものにおいて音の回り込みを防止するためのリブを設けるのであれば、ボタンの下縁（上下方向で本体ケース内側の端縁）に沿うように設ければよい。
一方、本体ケースの左端部や右端部にボタンを設けることも当然可能である。そして、そのようなものにおいて音の回り込みを防止するためのリブを設けるのであれば、ボタンの右端縁や左端縁（どちらも左右方向で本体ケース内側の端縁）に沿うように設ければよい。
【００２５】
また、ボタンの正面視の形状についは、上記実施形態のような矩形枠状に何ら限定されることはなく、正面視矩形や円形の一般的なボタンとしてもよいし、ボタンの形状によっては、端部に折り曲げ部を設けないとしても何ら問題はなく、折り曲げ部を有さないボタン等にあっては、凹部を設けずとも端部と本体ケースの前面との間に隙間を形成することができる。
加えて、上記実施形態ではインターホン親機について説明しているが、本発明は、スピーカ部さえ備えていれば、インターホン子機や集合玄関機等の他のインターホン機器についても好適に採用することができる。
【符号の説明】
【００２６】
１・・インターホン親機（インターホン機器）、２・・前ケース（本体ケース）、３・・後ケース（本体ケース）、７・・スピーカ部、１１・・フレーム部材、１１ａ・・ボタン部（ボタン）、１２・・支持壁、２１・・スピーカ孔、２２・・スピーカ、２４・・リブ、２５・・折り曲げ部、２６・・凹部。
【図１】
2020162042.tif 000003
【図２】
2020162042.tif 000004
【図３】
2020162042.tif 000005
【図４】
2020162042.tif 000006
【図５】
2020162042.tif 000007
【図６】
2020162042.tif 000008